(57)【要約】アイコンを環状に並置してスクロール表示させる場合であっても、未表示アイコンの出現箇所を使用者に認識させることができ、所望のアイコンを探しやすくすることができる携帯機器を提供する。複数のアイコンを並べて表示し、指定されたアイコンに応じた処理を実行する携帯機器に、大きさが異なる複数のアイコンを大きさの順で環状に並置して表示する表示手段と、大きさが最大及び最小の隣り合ったアイコンが表示されている部分で未表示のアイコンの追加及び既表示のアイコンの消去を行うアイコン更新手段とを備える。
2009084368.tif 000002
【特許請求の範囲】
【請求項１】
複数のアイコンを並べて表示し、指定されたアイコンに応じた処理を実行する携帯機器において、
大きさが異なる複数のアイコンを大きさの順で環状に並置して表示する表示手段と、
大きさが最大及び最小の隣り合ったアイコンが表示されている部分で未表示のアイコンの追加及び既表示のアイコンの消去を行うアイコン更新手段と
を備えることを特徴とする携帯機器。
【請求項２】
ポインティングデバイスを備え、
該ポインティングデバイスにて、アイコンの大きさが小さく（又は大きく）なる並置方向を受け付けた場合、既表示の複数のアイコンを、前記並置方向に移動させると共に、各アイコンを縮小（又は拡大）させるアイコン移動手段と、
大きさが最小（又は最大）のアイコンを消去する消去手段と、
大きさが最大（又は最小）の未表示のアイコンを追加する追加手段と
を備えることを特徴とする請求項１に記載の携帯機器。
【請求項３】
大きさが最大のアイコンの色の特徴を示す色属性値は、大きさが最小のアイコンの色の特徴を示す色属性値に比して高い
ことを特徴とする請求項１又は請求項２に記載の携帯機器。
【請求項４】
複数のアイコンを並べて表示し、指定されたアイコンに応じた処理を実行する携帯機器において、
色の特徴を示す色属性値が異なる複数のアイコンを、該色属性値の順で環状に並置して表示する表示手段と、
前記色属性値が最大及び最小の隣り合ったアイコンが表示されている部分で未表示のアイコンの追加及び既表示のアイコンの消去を行うアイコン更新手段と
を備えることを特徴とする携帯機器。
【請求項５】
前記色属性値は明度、色彩及び色相の少なくとも一つを示す数値である
ことを特徴とする請求項３又は請求項４に記載の携帯機器。
【請求項６】
指定されたアイコンに応じた処理を実行する携帯機器のアイコン表示方法において、
大きさが異なる複数のアイコンを大きさの順で環状に並置して表示し、
大きさが最大及び最小の隣り合ったアイコンが表示されている部分で、未表示のアイコンの追加及び既表示のアイコンの消去を行う
ことを特徴とするアイコン表示方法。
【請求項７】
指定されたアイコンに応じた処理を実行するコンピュータに、
大きさが異なる複数のアイコンを大きさの順で環状に並置した画像を生成し、
大きさが最大及び最小の隣り合ったアイコンが表示されている部分で、未表示のアイコンの追加及び既表示のアイコンの消去を行う
処理を実行させることを特徴とするコンピュータプログラム。
【発明の詳細な説明】
【技術分野】
【０００１】
本発明は、複数のアイコンを並べて表示し、指定されたアイコンに応じた処理を実行する携帯機器、携帯機器のアイコン表示方法、及びコンピュータを前記携帯機器として機能させるためのコンピュータプログラムに関する。
【背景技術】
【０００２】
近年、携帯機器は高度に多機能化及び小型化している。例えば、ウェブブラウザ機能、メール機能、音楽再生機能、ＧＰＳ（Global Positioning System）機能を有するＰＮＤ(Personal Navigation Device）、携帯電話機、ＰＤＡ（Personal Digital Assistant）等が実用化されている。また、ユーザビリティを向上させるべく、アイコンの指定をタッチパネルで受け付け、各機能を起動するように構成された携帯機器が実用化されている。【０００３】
図１２は、従来のアイコン表示方法を示す模式図である。図１２（ａ）に示すように表示部２には、５つのアイコン２５が横方向に並置されている。所望のアイコン２５が表示されていない場合、図１２（ｂ）に示すように使用者はタッチパネルに触れた指３０を右方向に移動させることによって、アイコン２５を右側にスクロール移動させることができる。具体的には、既表示のアイコン２５を右側に移動させると共に、右端の既表示のアイコン２５を消去し、未表示のアイコン２５を左端に出現させることができる。更に別のアイコン２５を表示させたい場合、図１２（ｃ）に示すように、タッチパネルから指３０を離して左側に戻し、図１２（ｂ）に示した操作を繰り返すことで、他の未表示のアイコン２５も表示部２に表示させることができる。
図１２に示すアイコン表示方法においては、携帯機器が多機能化及び小型化した場合であっても、各機能に対応した多数のアイコン２５を大きく表示することができる。【０００４】
ところが、図１２に示したアイコン表示方法においては、図１２（ｂ）、（ｃ）に示すように指３０を離して右から左へ繰り返し移動させる必要があるため、操作性が悪いという問題があった。【０００５】
操作性を向上させる方策の一つとして、タッチパネルに触れた指の回転移動を検知し、アイコンをスクロール移動させることが考えられる。また、ユーザビリティの観点から、複数のアイコンを環状に並置し、指の移動方向とアイコンの移動方向とを一致させることも考えられる。
【特許文献１】特開２００７−８６６３３号公報
【発明の開示】
【発明が解決しようとする課題】
【０００６】
しかしながら、環状に並置された複数のアイコンを並置方向に移動させつつ、所定箇所から未表示のアイコンを出現させるように構成した場合、使用者は未表示アイコンの出現箇所を認識できず、所望のアイコンを探しにくいという問題があった。【０００７】
図１３は、複数のアイコン２６を環状に並置したアイコン表示方法の問題点を示す模式図である。図１３に示すように使用者がタッチパネルに触れた指３０を時計回りに回転移動させた場合、各アイコン２６は時計回りに回転するとともに、所定箇所で既表示のアイコン２６が消え、未表示のアイコン２６が出現しているが、使用者は、未表示のアイコン２６がどこから出現したのかを一見して認識することは困難である。【０００８】
本発明は斯かる事情に鑑みてなされたものであり、大きさが異なる複数のアイコンを大きさの順で環状に並置し、大きさが最大及び最小の隣り合ったアイコンが表示されている部分で未表示のアイコンの追加及び既表示のアイコンの消去を行うように構成することにより、アイコンを環状に並置してスクロール表示させる場合であっても、未表示アイコンの出現箇所を使用者に認識させることができ、所望のアイコンを探しやすくすることができる携帯機器、アイコン表示方法及びコンピュータプログラムを提供することを目的とする。【０００９】
本発明の他の目的は、ポインティングデバイスで環状の並置方向を受け付けた場合、該並置方向に各アイコンを移動させ、未表示アイコンの追加及び既表示アイコンの消去を行うように構成することにより、ポインティングデバイスから指を離すことなく既表示アイコンの更新を連続的に行うことができ、しかも使用者が指定した方向と、アイコンが移動する方向を一致させることで、使用者のユーザビリティを向上させることができる携帯機器を提供することにある。【００１０】
本発明の他の目的は、大きさ最大のアイコンの色属性値が、大きさ最小のアイコンの色属性値に比して高くなるように、アイコンを表示することにより、未表示アイコンの出現箇所を使用者に印象強く認識させることができ、所望のアイコンをより探しやすくすることができる携帯機器を提供することにある。【００１１】
本発明の他の目的は、色の特徴を示す色属性値が異なる複数のアイコンを、該色属性値の順で環状に並置し、前記色属性値が最大及び最小の隣り合ったアイコンが表示されている部分で未表示のアイコンの追加及び既表示のアイコンの消去を行うように構成することにより、アイコンを環状に並置してスクロール表示させる場合であっても、未表示アイコンの出現箇所を使用者に認識させることができ、所望のアイコンを探しやすくすることができる携帯機器を提供することにある。【００１２】
本発明の他の目的は、明度、色彩及び色相の少なくとも一つを示す色属性値を用いることにより、色の明るさ、鮮やかさ、色合いの不連続性によって、未表示アイコンの出現箇所を使用者に印象強く認識させることができ、所望のアイコンをより探しやすくすることができる携帯機器を提供することにある。
【課題を解決するための手段】
【００１３】
第１発明に係る携帯機器は、複数のアイコンを並べて表示し、指定されたアイコンに応じた処理を実行する携帯機器において、大きさが異なる複数のアイコンを大きさの順で環状に並置して表示する表示手段と、大きさが最大及び最小の隣り合ったアイコンが表示されている部分で未表示のアイコンの追加及び既表示のアイコンの消去を行うアイコン更新手段とを備えることを特徴とする。【００１４】
第２発明に係る携帯機器は、ポインティングデバイスを備え、該ポインティングデバイスにて、アイコンの大きさが小さく（又は大きく）なる並置方向を受け付けた場合、既表示の複数のアイコンを、前記並置方向に移動させると共に、各アイコンを縮小（又は拡大）させるアイコン移動手段と、大きさが最小（又は最大）のアイコンを消去する消去手段と、大きさが最大（又は最小）の未表示のアイコンを追加する追加手段とを備えることを特徴とする。【００１５】
第３発明に係る携帯機器は、大きさが最大のアイコンの色の特徴を示す色属性値は、大きさが最小のアイコンの色の特徴を示す色属性値に比して高いことを特徴とする。【００１６】
第４発明に係る携帯機器は、複数のアイコンを並べて表示し、指定されたアイコンに応じた処理を実行する携帯機器において、色の特徴を示す色属性値が異なる複数のアイコンを、該色属性値の順で環状に並置して表示する表示手段と、前記色属性値が最大及び最小の隣り合ったアイコンが表示されている部分で未表示のアイコンの追加及び既表示のアイコンの消去を行うアイコン更新手段とを備えることを特徴とする。【００１７】
第５発明に係る携帯機器は、前記色属性値は明度、色彩及び色相の少なくとも一つを示す数値であることを特徴とする。【００１８】
第６発明に係るアイコン表示方法は、指定されたアイコンに応じた処理を実行する携帯機器のアイコン表示方法において、大きさが異なる複数のアイコンを大きさの順で環状に並置して表示し、大きさが最大及び最小の隣り合ったアイコンが表示されている部分で、未表示のアイコンの追加及び既表示のアイコンの消去を行うことを特徴とする。【００１９】
第７発明に係るコンピュータプログラムは、指定されたアイコンに応じた処理を実行するコンピュータに、大きさが異なる複数のアイコンを大きさの順で環状に並置した画像を生成し、大きさが最大及び最小の隣り合ったアイコンが表示されている部分で、未表示のアイコンの追加及び既表示のアイコンの消去を行う処理を実行させることを特徴とする。【００２０】
第１、第６及び第７発明にあっては、表示手段は、大きさが異なる複数のアイコンを大きさの順で環状に並置して表示する。このため、大きさが最大のアイコンと、大きさが最小のアイコンとが隣り合わせになり、アイコンの大きさに不連続性が生ずる。使用者は、アイコンの大きさに不連続性が生じている部分に注目する傾向がある。アイコン更新手段は、大きさが最大及び最小の隣り合ったアイコンが表示されている部分で未表示のアイコンの追加及び既表示のアイコンの消去を行う。従って、未表示のアイコンが出現する箇所を使用者に認識させることが可能になる。
なお、本発明における環状は広義の環状を意味しており、円環状に限定されない。つまり、複数のアイコンが閉じるように並置されていれば十分であり、楕円状、角枠状も含まれる。
また、アイコンは大きさの順で環状に並置されているが、必ずしも全てのアイコンの大きさが異なる必要はなく、同じ大きさのアイコンが一部並んでいても良い。
更に、アイコンの大きさは、アイコンの横寸法のみが大小異なっていても良いし、縦寸法のみが異なっていても良い。【００２１】
第２発明にあっては、ポインティングデバイスにて、アイコンの大きさが小さくなる並置方向を受け付けた場合、既表示の複数のアイコンを、前記並置方向に移動させると共に、各アイコンを縮小させる。そして、消去手段は、大きさが最小のアイコンを消去し、追加手段は、大きさが最大の未表示のアイコンを追加する。
同様に、ポインティングデバイスにて、アイコンの大きさが大きくなる並置方向を受け付けた場合、アイコン移動手段は、既表示の複数のアイコンを、前記並置方向に移動させると共に、各アイコンを拡大させる。そして、消去手段は、大きさが最大のアイコンを消去し、追加手段は、大きさが最小の未表示のアイコンを追加する。
従って、使用者がポインティングデバイスで指定する並置方向と、アイコンが移動する方向とを一致させることができる。また、並置方向は環状であるため、ポインティングデバイスから指を離すことなくアイコンの更新を連続的に行うことが可能となる。【００２２】
第３発明にあっては、大きさ最大のアイコンの色属性値が、大きさ最小のアイコンの色属性値に比して高い。使用者は、色属性値に不連続性が生じている部分に注目する傾向がある。従って、より効果的に、未表示のアイコンが出現する箇所を使用者に認識させることが可能になる。【００２３】
第４発明にあっては、表示手段は、色属性値が異なる複数のアイコンを色属性値の順で環状に並置して表示する。このため、前記色属性値が最大のアイコンと、前記色属性値が最小のアイコンとが隣り合わせになり、前記色属性値に不連続性が生ずる。使用者は、このような不連続性が生じている部分に注目する傾向がある。アイコン更新手段は、前記色属性値が最大及び最小の隣り合ったアイコンが表示されている部分で未表示のアイコンの追加及び既表示のアイコンの消去を行う。従って、未表示のアイコンが出現する箇所を使用者に認識させることが可能になる。
なお、アイコンは色属性値の順で環状に並置されているが、必ずしも全てのアイコンの色属性値が異なる値を有する必要はなく、同じ値の色属性値を有するアイコンが一部並んでいても良い。【００２４】
第５発明にあっては、色属性値は、明度、色彩及び色相の少なくとも一つを示す数値である。従って、アイコンの明るさ、鮮やかさ、色合いを示す色属性値の不連続性によって、未表示のアイコンが出現する箇所を使用者に認識させることが可能になる。
【発明の効果】
【００２５】
第１、第６及び第７発明によれば、アイコンを環状に並置してスクロール表示させる場合であっても、アイコンの大きさに係る不連続性によって未表示アイコンの出現箇所を使用者に認識させることができ、所望のアイコンを探しやすくすることができる。【００２６】
第２発明によれば、ポインティングデバイスから指を離すことなく既表示アイコンの更新を連続的に行うことができ、しかも使用者が指定した方向と、アイコンが移動する方向を一致させることで、使用者のユーザビリティを向上させることができる。【００２７】
第３発明にあっては、アイコンの大きさ及び色属性値に係る不連続性によって、未表示アイコンの出現箇所を使用者に印象強く認識させることができ、所望のアイコンをより探しやすくすることができる。【００２８】
第４発明にあっては、アイコンを環状に並置してスクロール表示させる場合であっても、色属性値の不連続性によって、未表示アイコンの出現箇所を使用者に認識させることができ、所望のアイコンを探しやすくすることができる。【００２９】
第５発明にあっては、色の明るさ、鮮やかさ、色合いの不連続性によって、未表示アイコンの出現箇所を使用者に印象強く認識させることができ、所望のアイコンをより探しやすくすることができる。
【図面の簡単な説明】
【００３０】
【図１】本発明の実施の形態に係る携帯機器を示す模式的正面図である。
【図２】携帯機器の内部構成を示すブロック図である。
【図３】水平並置モードのメニュー画面を示す模式図である。
【図４】水平並置モードから環状並置モードに切り替える操作方法を示す模式図であ    る。
【図５】環状並置モードにおけるアイコン表示方法に係るＣＰＵの処理手順を示すフ    ローチャートである。
【図６】環状並置モードにおけるアイコン表示方法に係るＣＰＵの処理手順を示すフ    ローチャートである。
【図７】指が順並置方向に移動した場合のアイコン表示方法を示す模式図である。
【図８】指が逆順並置方向に移動した場合のアイコン表示方法を示す模式図である。
【図９】環状並置モードから水平並置モードに切り替える操作方法を示す模式図であ    る。
【図１０】環状並置モードにおけるアイコン表示方法の変形例に係るＣＰＵの処理手    順を示すフローチャートである。
【図１１】環状並置モードにおけるアイコン表示方法の変形例に係るＣＰＵの処理手    順を示すフローチャートである。
【図１２】従来のアイコン表示方法を示す模式図である。
【図１３】複数のアイコンを環状に並置したアイコン表示方法の問題点を示す模式図    である。
【符号の説明】
【００３１】
１  筐体
２  表示部
３  操作ボタン
４  電源ボタン
５  ＣＰＵ
６  ＲＯＭ
７  ＲＡＭ
８  計時部
９  記憶装置
１０  音声出力部
１１  タッチパネル
１２  ＧＰＳ処理部
１３  通信部
１４  バス
１５  記録媒体
１６  コンピュータプログラム
【発明を実施するための最良の形態】
【００３２】
以下、本発明をその実施の形態を示す図面に基づいて詳述する。
図１は、本発明の実施の形態に係る携帯機器を示す模式的正面図である。本発明の実施の形態に係る携帯機器、例えばＰＮＤは、偏平略直方体をなす筐体１と、筐体１の正面に配設された表示部２と、筐体１の正面側部に縦方向に並設された操作ボタン３と、筐体１の上面に設けられた電源ボタン４とを備えている。【００３３】
図２は、携帯機器の内部構成を示すブロック図である。携帯機器は、装置全体を制御するＣＰＵ（Central Processing Unit）５を備えている。ＣＰＵ５には、バス１４を介し
てＲＯＭ６、ＲＡＭ７、計時部８、記憶装置９、表示部２、音声出力部１０、タッチパネル１１（ポインティングデバイス）、操作ボタン３、ＧＰＳ処理部１２、通信部１３が接続されている。【００３４】
ＲＯＭ６は、コンピュータの動作に必要な制御プログラムを記憶したマスクＲＯＭ、ＥＥＰＲＯＭ等の不揮発性メモリである。ＲＡＭ７は、ＣＰＵ５の演算処理を実行する際に生ずる各種データを一時記憶するＤＲＡＭ、ＳＲＡＭ等の揮発性メモリである。【００３５】
計時部８は、タッチパネル１１の操作内容、例えば指でタッチパネル１１を瞬間的に触れることにより行うアイコンの指定、タッチパネル１１に触れた指の移動方向を検知するために時間の計時を行う。【００３６】
記憶装置９は、ハードディスク、半導体メモリ等の不揮発性メモリであり、本発明に係るコンピュータプログラム１６、複数のアイコン２０ａ，２０ｂ，…，２０ｚを表示するための画像データ、その他各種処理を実行するための情報を記憶している。また、記憶装置９は、ウェブ機能、メール機能、音楽再生機能を実現するためのコンピュータプログラム、使用者が入手した写真の画像データ、音楽データ等を記憶している。
なお、本発明に係るコンピュータプログラム１６は、光ディスク、半導体メモリのような記録媒体１５から読み出して、記憶装置９に記憶させても良い。また、図示しない通信網に接続されている外部コンピュータからダウンロードし、記憶装置９に記憶させるようにしても良い。【００３７】
表示部２は、例えば映像を表示する表示面を前側に有する略直方体の液晶表示モジュールを備えており、液晶表示モジュールは、液晶表示パネルと、液晶表示パネルを後側から照明するエリアライト方式のバックライト部と、バックライト部及び液晶表示パネル間に介装された光学シートとから構成されている。表示部２は、ＣＰＵ５から与えられた画像データに基づいて、各種画像、例えばアイコン２０ａ，２０ｂ，…，２０ｚを環状に並置したメニュー画面２０等を表示する。なお、表示部２は液晶ディスプレイに限定されず、有機ＥＬディスプレイ等で構成しても良い。【００３８】
音声出力部１０は、記憶装置９が記憶している音声データをデコードするデコーダ、デコードされた音声データに基づいて音声を出力するスピーカ等を備えて構成されている。【００３９】
タッチパネル１１は、表示部２に対向配置されており、使用者によるアイコン２０ａ，２０ｂ，…，２０ｚの指定、各種操作を受け付けるポインティングデバイスの一種である。なお、ポインティングデバイスの一例としてタッチパネル１１を挙げたが、携帯機器の用途に応じてトラックポイント、トラックボール等の他のポインティングデバイスを備えるように構成しても良い。【００４０】
ＧＰＳ処理部１２は、ＧＰＳ受信機を備えている。ＧＰＳ受信機は、人工衛星（ＧＰＳ衛星）からの電波を受信し携帯機器の現在位置と現在方位を測定する。測定された位置情報は、携帯機器の緯度、経度、及び標高についてのデータを含み、ＧＰＳ処理部１２は、携帯機器のＧＰＳ機能を提供する。【００４１】
通信部１３は、無線通信にて各種ウェブ情報を送受信するインタフェースであり、通信部１３による各種情報の送受信はＣＰＵ５によって制御されている。【００４２】
次に、携帯機器の動作及びＣＰＵ５の処理手順を説明する。
図３は、水平並置モードのメニュー画面２１を示す模式図である。電源ボタン４が押圧された場合、ＣＰＵ５は、記憶装置９からメニュー画面２１、アイコン２１ａ，２１ｂ，…，２１ｅの画像データを読み出し、複数のアイコン２１ａ，２１ｂ，…，２１ｅが水平方向（表示部２の長辺方向）に並置されたメニュー画面２１を表示部２に表示させる。【００４３】
ＣＰＵ５は、タッチパネル１１に触れた指が水平方向右方に移動したことを検出した場合、各アイコン２１ａ，２１ｂ，…，２１ｅを水平方向右方へ移動させると共に、右端のアイコン２１ｅを消去し、未表示の他のアイコンを左端に追加する処理を実行する。
なお、指の移動検出は以下のように行う。ＣＰＵ５は、タッチパネル１１の操作状態を監視しており、タッチパネル１１に触れた指を検出した場合、該指の接触位置を記憶し、指が触れてからの経過時間を計時する。そして、ＣＰＵ５は、所定時間が経過したとき、タッチパネル１１にまだ指が触れているか否かを判定し、指が触れていると判定した場合、現時点で指が触れている位置を記憶する。次いで、ＣＰＵ５は、現時点で記憶した指の位置と、所定時間前に記憶した指の位置とを比較することで、指の移動方向を特定する。なお、上述の検出方法は、一例であり、指の移動方向を検出することができる方法であれば、他の方法を用いても良い。
同様に、ＣＰＵ５は、タッチパネル１１に触れた指が水平方向左方に移動したことを検出した場合、各アイコン２１ａ，２１ｂ，…，２１ｅを左方へ移動させると共に、左端のアイコン２１ａを消去し、未表示の他のアイコンを右端に追加する処理を実行する。【００４４】
また、ＣＰＵ５は、タッチパネル１１にてアイコン２１ａ，２１ｂ，…，２１ｅの指定を受け付けた場合、指定されたアイコンに応じた処理を実行する。
なお、アイコン２１ａ，２１ｂ，…，２１ｅの指定は以下のように行う。ＣＰＵ５は、タッチパネル１１に触れた指を検出した場合、該指の接触位置を記憶し、指が触れてからの経過時間を計時する。そして、ＣＰＵ５は、所定時間が経過したとき、タッチパネル１１にまだ指が触れているか否かを判定する。指が触れていないと判定した場合、つまりアイコン２１ａ，２１ｂ，…，２１ｅに指が一瞬触れたと判定した場合、ＣＰＵ５は、所定時間前に記憶した指の位置にアイコン２１ａ，２１ｂ，…，２１ｅが位置しているか否かを判定し、前記指の位置にアイコン２１ａ，２１ｂ，…，２１ｅが位置していた場合、該アイコン２１ａ，２１ｂ，…，２１ｅを指定されたアイコンとして特定する。なお、上述のアイコン指定検出方法は、一例であり、アイコン２１ａ，２１ｂ，…，２１ｅの指定を検出することができる方法であれば、他の方法を用いても良い。【００４５】
図４は、水平並置モードから環状並置モードに切り替える操作方法を示す模式図である。ＣＰＵ５は、図４（ａ）に示すように、水平方向略中央に配されたアイコン２１ｃの上移動を検出した場合、図４（ｂ）に示すように、アイコン２０ａ，２０ｂ，…が環状に並置された環状並置モードのメニュー画面２０を表示部２に表示する。具体的には、ＣＰＵ５は、アイコン２１ｃ上のタッチパネル１１に指が触れたことを検出し、更にタッチパネル１１に触れた指が上方に移動したことを検出した場合、アイコン２１ｃが上移動したと判定する。【００４６】
図５及び図６は、環状並置モードにおけるアイコン表示方法に係るＣＰＵ５の処理手順を示すフローチャートである。図４（ａ）に示すように、水平方向略中央部に配されたアイコン２１ｃの上移動を検出した場合、ＣＰＵ５は、大きさが異なる複数のアイコン２０ａ，２０ｂ，…を大きさの順で環状に並置したメニュー画面２０を表示部２に表示させる（ステップＳ１１）。なお、ハッチングが付されたアイコン２０ｋ，２０ｌは、他のアイコン２０ａ，…，２０ｊに比して明度及び彩度が低く表示されていることを示している。【００４７】
ついで、ＣＰＵ５は、アイコン２０ａ，２０ｂ，…の指定を受け付けたか否かを判定する（ステップＳ１２）。アイコン２０ａ，２０ｂ，…の指定を受け付けたと判定した場合（ステップＳ１２：ＹＥＳ）、ＣＰＵ５は、指定されたアイコン２０ａ，２０ｂ，…に応じた処理を実行し（ステップＳ１３）、環状並置モードにおけるアイコン表示処理を終える。【００４８】
アイコン２０ａ，２０ｂ，…の指定を受け付けていないと判定した場合（ステップＳ１２：ＮＯ）、ＣＰＵ５は、タッチパネル１１に触れた指が順並置方向に移動したか否かを判定する（ステップＳ１４）。順並置方向とは、環状に並置されたアイコン２０ａ，２０ｂ，…の大きさが順に大きくなる方向である。例えば、図４（ｂ）に示したメニュー画面２０の場合、反時計回り方向が順並置方向である。【００４９】
タッチパネル１１に触れた指が順並置方向に移動したと判定した場合（ステップＳ１４：ＹＥＳ）、ＣＰＵ５は、各既表示のアイコン２０ａ，２０ｂ，…を順並置方向に移動させると共に（ステップＳ１５）、各既表示アイコン２０ａ，２０ｂ，…画像を拡大させ（ステップＳ１６）、各既表示アイコン２０ａ，２０ｂ，…の色属性値を増加させる（ステップＳ１７）。例えば、アイコン２０ａ，２０ｂ，…の明度及び彩度を増加させる。なお、色属性値は、明度及び彩度に限定されず、色相等、色の特性を数値化できるものであれば他の値を使用しても良い。【００５０】
次いで、ＣＰＵ５は、既表示で大きさが最大のアイコンを消去し（ステップＳ１８）、未表示で大きさが最小のアイコンを追加する（ステップＳ１９）。つまり、ＣＰＵ５は、既表示で大きさが最大のアイコンと、大きさが最小のアイコンが表示されている部分において、既表示アイコンの消去と、未表示アイコンの追加を行う。【００５１】
図７は、指が順並置方向に移動した場合のアイコン表示方法を示す模式図である。図７（ａ）は、タッチパネル１１に指が触れた状態を示している。
図７（ｂ）はタッチパネル１１に触れた指が反時計回りに移動して、アイコン２０ａ，２０ｂ，…が更新された状態を示している。タッチパネル１１に触れた指が反時計回りに移動した場合、既表示のアイコン２０ａ，２０ｂ，…は反時計回りに移動し、各アイコン２０ａ，２０ｂ，…は並置位置に応じて拡大表示される。また、図７（ａ）において大きさが最も小さいアイコン２０ｌ，２０ｋの明度及び彩度が増加し、明るく鮮やかに表示される。更に、図７（ａ）に表示されていた大きさが最大のアイコン２０ａは消去され、代わりに大きさが最小で明度及び彩度が最小のアイコン２０ｍが追加表示される。
図７（ｃ）はタッチパネル１１に触れた指が更に反時計回りに移動して、アイコン２０ａ，２０ｂ，…が更新された状態を示している。タッチパネル１１に触れた指が図７（ｂ）に示した状態から更に反時計回りに移動した場合、既表示のアイコン２０ｂ，２０ｃ，…は反時計回りに移動し、各アイコン２０ｂ，２０ｃ，…は並置位置に応じて拡大表示され、大きさが最も小さいアイコン２０ｍ，２０ｌの明度及び彩度が増加し、明るく鮮やかに表示される。また、図７（ｃ）に示すように、図７（ｂ）で大きさが最大のアイコン２０ｂが消去され、代わりに大きさが最小で明度及び彩度が最小のアイコン２０ｎが追加表示されている。【００５２】
ステップＳ１９の処理を終えた場合、又はステップＳ１４でタッチパネル１１に触れた指が順並置方向に移動していないと判定した場合（ステップＳ１４：ＮＯ）、ＣＰＵ５は、タッチパネル１１に触れた指が逆順並置方向に移動したか否を判定する（ステップＳ２０）。逆順並置方向とは、環状に並置されたアイコン２０ａ，２０ｂ，…の大きさが順に小さくなる方向である。例えば、図４（ｂ）に示したメニュー画面２０の場合、時計回り方向が逆順並置方向である。【００５３】
タッチパネル１１に触れた指が逆順並置方向に移動したと判定した場合（ステップＳ２０：ＹＥＳ）、ＣＰＵ５は、各既表示のアイコン２０ａ，２０ｂ，…を逆順並置方向に移動させると共に（ステップＳ２１）、各既表示アイコン２０ａ，２０ｂ，…を縮小させ（ステップＳ２２）、各既表示アイコン２０ａ，２０ｂ，…の色属性値を減少させる（ステップＳ２３）。【００５４】
次いで、ＣＰＵ５は、既表示で大きさが最小のアイコンを消去し（ステップＳ２４）、未表示で大きさが最大のアイコンを追加する（ステップＳ２５）。【００５５】
図８は、指が逆順並置方向に移動した場合のアイコン表示方法を示す模式図である。図８（ａ）は、タッチパネル１１に指が触れた状態を示している。図８（ｂ）はタッチパネル１１に触れた指が時計回りに移動して、アイコン２０ａ，２０ｂ，…が更新された状態を示している。タッチパネル１１に触れた指が時計回りに移動した場合、既表示のアイコン２０ａ，２０ｂ，…は時計回りに移動し、各アイコン２０ａ，２０ｂ，…は並置位置に応じて縮小表示される。また、図８（ａ）において大きさが小さいアイコン２０ｋ，２０ｊの明度及び彩度が減少し、暗く表示される。更に、図８（ａ）に表示されていた大きさが最小のアイコン２０ｌは消去され、代わりに大きさが最大のアイコン２０ｚが追加表示される。
図８（ｃ）はタッチパネル１１に触れた指が更に時計回りに移動して、アイコン２０ａ，２０ｂ，…が更新された状態を示している。タッチパネル１１に触れた指が図８（ｂ）に示した状態から更に時計回りに移動した場合、既表示のアイコン２０ａ，２０ｂ，…は時計回りに移動し、各アイコン２０ａ，２０ｂ，…は並置位置に応じて縮小表示され、大きさが小さいアイコン２０ｊ，２０ｉの明度及び彩度が減少し、暗く表示される。また、図８（ｃ）に示すように、図８（ｂ）で大きさが最小のアイコン２０ｋが消去され、代わりに大きさが最大で明度及び彩度が最大のアイコン２０ｙが追加表示されている。【００５６】
ステップＳ２５の処理を終えた場合、又はステップＳ２０でタッチパネル１１に触れた指が逆順並置方向に移動していないと判定した場合（ステップＳ２０：ＮＯ）、ＣＰＵ５は、垂直方向（表示部２の短辺方向）最上部に配されたアイコンの下移動を受け付けたか否かを判定する（ステップＳ２６）。最上部に配されたアイコンの下移動を受け付けていないと判定した場合（ステップＳ２６：ＮＯ）、ＣＰＵ５は、処理をステップＳ１１に戻す。最上部に配されたアイコンの下移動を受け付けたと判定した場合（ステップＳ２６：ＹＥＳ）、ＣＰＵ５は、水平並置モードのメニュー画面２１を表示部２に表示させ（ステップＳ２７）、環状並置モードにおけるアイコン表示処理を終える。【００５７】
図９は、環状並置モードから水平並置モードに切り替える操作方法を示す模式図である。ＣＰＵ５は、図９（ａ）に示すように、垂直方向最上部に配されたアイコン２０ｃ上に触れた指３０の下移動を検出した場合、図９（ｂ）に示すように、アイコン２１ａ，２１ｂ，…，２１ｅが水平方向に並置された水平並置モードのメニュー画面２１を表示部２に表示する。具体的には、ＣＰＵ５は、アイコン２０ｃ上のタッチパネル１１に指が触れたことを検出し、更にタッチパネル１１に触れた指が下方に移動したことを検出することで、アイコン２０ｃの下移動を検出する。【００５８】
このように構成された携帯機器、アイコン表示方法及びコンピュータプログラム１６にあっては、アイコン２０ａ，２０ｂ，…を環状に並置してスクロール表示する場合であっても、アイコン２０ａ，２０ｂ，…の大きさに係る不連続性によって未表示アイコンの出現箇所を使用者に認識させることができ、所望のアイコン２０ａ，２０ｂ，…を探しやすくすることができる。【００５９】
また、タッチパネル１１から指を離すことなく既表示アイコン２０ａ，２０ｂ，…の更新を連続的に行うことができる。【００６０】
更に、使用者が指定した方向と、アイコン２０ａ，２０ｂ，…が移動する方向を一致させることで、使用者のユーザビリティを向上させることができる。【００６１】
更にまた、色の明るさ、鮮やかさ、色合いの不連続性によって、未表示アイコンの出現箇所を使用者に印象強く認識させることができ、所望のアイコン２０ａ，２０ｂ，…をより探しやすくすることができる。【００６２】
更にまた、大きさの順でアイコン２０ａ，２０ｂ，…を環状に並置し、大きさが最大及び最小のアイコンが表示されている部分で既表示アイコンの消去及び未表示アイコンの追加を行うため、恰も複数のアイコン２０ａ，２０ｂ，…が表示部２法線方向に螺旋状に配列しているかの印象を使用者に与えることができ、未表示のアイコンが存在することを使用者に感覚的に認識させることができる。【００６３】
なお、実施の形態では、携帯機器の一例としてＰＮＤを説明したが、携帯電話、ＰＤＡ、その他の携帯機器に本発明を適用しても良い。また、本実施の形態では、複数のアイコンを円環状に並置した場合を説明したが、並置する形状は円環状に限定されない。更に、言うまでもなく、並置するアイコンの数は特に限定されない。【００６４】
（変形例）
図１０及び図１１は、環状並置モードにおけるアイコン表示方法の変形例に係るＣＰＵ５の処理手順を示すフローチャートである。ＣＰＵ５は、色属性値が異なる複数のアイコンを色属性値の順で環状に並置したメニュー画面を表示部２に表示させる（ステップＳ３１）。【００６５】
ついで、ＣＰＵ５は、アイコンの指定を受け付けたか否かを判定する（ステップＳ３２）。アイコンの指定を受け付けたと判定した場合（ステップＳ３２：ＹＥＳ）、ＣＰＵ５は、指定されたアイコンに応じた処理を実行し（ステップＳ３３）、環状並置モードにおけるアイコン表示処理を終える。【００６６】
アイコンの指定を受け付けていないと判定した場合（ステップＳ３２：ＮＯ）、ＣＰＵ５は、タッチパネル１１に触れた指が順並置方向に移動したか否を判定する（ステップＳ３４）。【００６７】
タッチパネル１１に触れた指が順並置方向に移動したと判定した場合（ステップＳ３４：ＹＥＳ）、ＣＰＵ５は、各既表示のアイコンを順並置方向に移動させると共に（ステップＳ３５）、各既表示アイコンの色属性値を増加させる（ステップＳ３６）。例えば、アイコンの明度及び彩度を増加させる。【００６８】
次いで、ＣＰＵ５は、既表示で色属性値が最大のアイコンを消去し（ステップＳ３７）、未表示で色属性値が最小のアイコンを追加する（ステップＳ３８）。つまり、ＣＰＵ５は、既表示で色属性値が最大のアイコンと、色属性値が最小のアイコンが表示されている部分において、既表示アイコンの消去と、未表示アイコンの追加を行う。【００６９】
ステップＳ３８の処理を終えた場合、又はステップＳ３４でタッチパネル１１に触れた指が順並置方向に移動していないと判定した場合（ステップＳ３４：ＮＯ）、ＣＰＵ５は、タッチパネル１１に触れた指が逆順並置方向に移動したか否を判定する（ステップＳ３９）。【００７０】
タッチパネル１１に触れた指が逆順並置方向に移動したと判定した場合（ステップＳ３９：ＹＥＳ）、ＣＰＵ５は、各既表示のアイコンを逆順並置方向に移動させると共に（ステップＳ４０）、各既表示アイコンの色属性値を減少させる（ステップＳ４１）。【００７１】
次いで、ＣＰＵ５は、既表示で色属性値が最小のアイコンを消去し（ステップＳ４２）、未表示で色属性値が最大のアイコンを追加する（ステップＳ４３）。【００７２】
ステップＳ４３の処理を終えた場合、又はステップＳ３９でタッチパネル１１に触れた指が逆順並置方向に移動していないと判定した場合（ステップＳ３９：ＮＯ）、ＣＰＵ５は、垂直方向最上部に配されたアイコンの下移動を受け付けたか否かを判定する（ステップＳ４４）。最上部に配されたアイコンの下移動を受け付けていないと判定した場合（ステップＳ４４：ＮＯ）、ＣＰＵ５は、処理をステップＳ３１に戻す。最上部に配されたアイコンの下移動を受け付けたと判定した場合（ステップＳ４４：ＹＥＳ）、ＣＰＵ５は、水平並置モードのメニュー画面２１を表示部２に表示させ（ステップＳ４５）、環状並置モードにおけるアイコン表示処理を終える。【００７３】
変形例にあっては、アイコンを環状に並置してスクロール表示する場合であっても、アイコンの大きさに係る不連続性によって未表示アイコンの出現箇所を使用者に認識させることができ、所望のアイコンを探しやすくすることができる。【００７４】
なお、今回開示された実施の形態はすべての点で例示であって、制限的なものではない。本発明の範囲は、特許請求の範囲によって示され、特許請求の範囲と均等の意味及び範囲内でのすべての変更が含まれる。
【図１】
2009084368.tif 000003
【図２】
2009084368.tif 000004
【図３】
2009084368.tif 000005
【図４】
2009084368.tif 000006
【図５】
2009084368.tif 000007
【図６】
2009084368.tif 000008
【図７】
2009084368.tif 000009
【図８】
2009084368.tif 000010
【図９】
2009084368.tif 000011
【図１０】
2009084368.tif 000012
【図１１】
2009084368.tif 000013
【図１２】
2009084368.tif 000014
【図１３】
2009084368.tif 000015
【国際調査報告】
2009084368.tif 000016
2009084368.tif 000017